(57)【要約】      （修正有）【課題】展示終了後の保管時にはコンパクトに収容可能で、且つ、節句人形や節句飾りを展示する際は下方に物品を配置可能な節句用飾り台を提供する。【解決手段】節句人形及び節句飾りの少なくとも一方が載置される板状の台座２と、台座２の外周縁部から下方へ向かって所定長さ延設されて台座２の外周を囲う枠部材３と、枠部材３の内周と台座２の下面とで囲まれた下部空間と、一端側端部が台座２の下面に回動自在に接続されて、下部空間内に折り畳んで収容される台座用脚部５と、を備えている。【選択図】図５
0003180466.tif 000002
【実用新案登録請求の範囲】
【請求項１】
節句人形及び節句飾りの少なくとも一方が載置される板状の台座と、
当該台座の外周縁部から下方へ向かって所定長さ延設されて前記台座の外周を囲う枠部材と、
前記枠部材の内周と前記台座の下面とで囲まれた下部空間と、
一端部が前記台座の下面に回動自在に接続されて、前記下部空間内に折り畳んで収容される台座用脚部と、を備え、
折り畳んだ前記台座用脚部の高さを前記下部空間の高さよりも小とすることを特徴とする節句用飾り台。
【請求項２】
前記台座用脚部の前記一端部は、前記枠部材の内周面に隣接する前記台座の下面に設けられることを特徴とする請求項１に記載の節句用飾り台。
【請求項３】
前記台座用脚部を下方へ回動させて前記台座用脚部を起立位置とした場合に、前記台座の下面と前記台座用脚部との間に前記下部空間を含む隙間空間が形成され、
前記隙間空間の高さは、前記節句人形及び前記節句飾りを収納する収納ケースの高さよりも大きいことを特徴とする請求項１又は２に記載の節句用飾り台。
【請求項４】
前記枠部材で囲まれた内側に収容可能な板状の座板と、一端側端部が前記座板の下面に回動自在に取り付けられて折り畳み可能な座板用脚部と、を有する補助用飾り台を更に備えており、
折り畳んだ前記補助用飾り台の高さを、前記下部空間内の折り畳んだ前記台座用脚部の下面から前記枠部材の下端までの高さよりも小とすることを特徴とする請求項１〜３のうち何れか一項に記載の節句用飾り台。
【請求項５】
前記座板用脚部の一端から他端までの長さは、前記枠部材の前記所定長さよりも大きく、且つ前記台座用脚部の一端から他端までの長さよりも小さいことを特徴とする請求項４に記載の節句用飾り台。
【請求項６】
前記節句人形は、雛人形及び五月人形の何れか一方を含み、
前記節句飾りは飾り兜を含むことを特徴とする請求項１に記載の節句用飾り台。
【考案の詳細な説明】
【技術分野】
【０００１】
本考案は、節句人形や節句飾りが載置される節句用飾り台に関する。
【背景技術】
【０００２】
雛人形、五月人形等の節句人形や飾り兜等の節句飾りを展示するために節句用飾り台が用いられる。
節句人形や節句飾りを飾る期間が終了した後に、節句人形や節句飾りを保管する際には、傷などの損傷から保護するため、収納ケースが用意されている。比較的高価で繊細な構成を有する節句人形や節句飾りはデリケートであるため、保護性能に優れた収納ケースが求められる。特に雛人形や五月人形等ついては、部品填数が多くなるため、収納ケースが大型化する傾向がある。しかしながら、核家族化が進む現代においてはアパートやマンションのように比較的狭い住宅環境で生活する消費者も多い。そのため、節句用飾り台や収納ケースは、省スペース化に対応したコンパクトな製品が要望されている。
【０００３】
ところで、展示用に節句人形や節句飾りが取り出された収納ケースは、展示場所から離れた箇所に別途保管する必要があったため、展示用のスペースに加え、収納ケースの保管用のスペースも必要だった。そのため、上述したような比較的狭い住宅環境で生活する消費者に十分適していない場合があった。
【０００４】
例えば、特許文献１には、複数段からなる組立式の節句用飾り台が開示されている。この節句用飾り台は、平板階段状に形成された一対の側板、当該一対の側板における水平部分に架け渡され全体として階段状に配設される複数の台座、及び台座間の隙間を塞ぐ横板等を備えている。これらの部材は、まず、対峙するように立設された一対の側板に対して下段の横板、下段の台座、中段の横板、中段の台座及び上段の台座を、それぞれ順番に載置することにより階段状に組付けられる。また、節句人形や節句飾りを展示しないときは、これらを分解した状態で保管することができる。
【先行技術文献】
【特許文献】
【０００５】
【特許文献１】実用新案登録第３１０４１６７号公報
【考案の概要】
【考案が解決しようとする課題】
【０００６】
上述したように、節句用飾り台には効率的な収納性と、保管用スペースの削減とが求められている。上記特許文献１に記載の節句用飾り台では、分解して保管可能であるという工夫はされているものの、平板階段状の側板、台座及び横板等をそのまま保管する等、その工夫が十分ではなく、より効率的な収納方法が求められる。また、節句人形や節句飾りを展示した状態で節句用飾り台の下方に形成される空間の利用方法についての記載は無い。
【０００７】
そこで、本考案は上述の問題点に鑑みなされたものであり、展示終了後の保管時にはコンパクトに収容可能で、且つ、節句人形や節句飾りを展示する際は下方に収納ケースや保護シート等の物品を収容可能な節句用飾り台を提供することを目的とする。
【課題を解決するための手段】
【０００８】
本考案に係る節句用飾り台は上記課題を解決するために、節句人形及び節句飾りの少なくとも一方が載置される板状の台座と、
当該台座の外周縁部から下方へ向かって所定長さ延設されて前記台座の外周を囲う枠部材と、
前記枠部材の内周と前記台座の下面とで囲まれた下部空間と、
一端部が前記台座の下面に回動自在に接続されて、前記下部空間内に折り畳んで収容される台座用脚部と、を備え、
折り畳んだ前記台座用脚部の高さを前記下部空間の高さよりも小とすることを特徴とする。
本考案によれば、枠部材で囲まれた下部空間内に収容可能な台座用脚部を備えているため、節句人形や節句飾りを展示しないときに、節句用飾り台をコンパクトに保管することができる。
また、節句人形や節句飾りを展示する場合には、台座用脚部を台座の下面に対して下方へ回動させて台座用脚部を起立位置に配置することで、台座と台座用脚部との間に隙間空間が形成されるため、この隙間空間内に節句人形を保護する保護材等の物品を収容することができる。
さらに、台座用脚部を起立位置に配置することで、節句人形や節句飾りを高い位置で飾ることができる。これにより、節句人形や節句飾りをより身近に感じることができる。
【０００９】
前記台座用脚部の前記一端部は、前記枠部材の内周面に隣接する前記台座の下面に設けられていてもよい。
この場合、台座用脚部を起立位置に配置すると、台座の下方に隙間空間を確保することができる。
また、台座用脚部を起立位置に配置した場合に、台座用脚部が枠部材の内周面に隣接する位置、即ち台座の外周部を支持することとなるため、台座を安定させることができる。
【００１０】
前記台座用脚部を下方へ回動させて前記台座用脚部を起立位置とした場合に、前記台座の下面と前記台座用脚部との間に前記下部空間を含む隙間空間が形成され、
前記隙間空間の高さは、前記節句人形及び前記節句飾りを収納する収納ケースの高さよりも大きくしてもよい。
このように、隙間空間の高さを節句人形及び節句飾りを収納する収納ケースの高さよりも大きくすることで、節句人形及び節句飾りを展示する場合に、展示用に節句人形や節句飾りが取り出された収納ケースを隙間空間内に収容することができる。従来の節句人形や節句飾り用の収納ケースは節句人形及び節句飾りを展示している間は、別の場所に保管する必要があったため、余分な保管用スペースが必要だった。一方、この態様によれば、収納ケースを節句用飾り台の下方に形成された隙間空間内に収容することにより、保管用スペースの確保が不要となる。
【００１１】
前記枠部材で囲まれた内側に収容可能な板状の座板と、一端側端部が前記座板の下面に回動自在に取り付けられて折り畳み可能な座板用脚部と、を有する補助用飾り台を更に備えており、
折り畳んだ前記補助用飾り台の高さを、前記下部空間内の折り畳んだ前記台座用脚部の下面から前記枠部材の下端までの高さよりも小としてもよい。
この場合、補助用飾り台を節句用飾り台の下部空間内に収容することができる。これにより、節句人形を展示しないときに、補助用飾り台及び節句用飾り台をコンパクトに保管することができる。
また、補助用飾り台を更に備えているため、節句用飾り台に加えて補助用飾り台を配置し、当該補助用飾り台の座板上にも節句人形や節句飾りを展示することができる。節句人形や節句飾りを展示するスペースが広くなることで、節句人形及び節句飾りを多く飾ることができるため、豪華な雰囲気を演出することができる。
【００１２】
前記座板用脚部の一端から他端までの長さは、前記枠部材の前記所定長さよりも大きく、且つ前記台座用脚部の一端から他端までの長さよりも小としてもよい。
この場合、座板用脚部の一端から他端までの長さが、台座用脚部の一端から他端までの長さと異なるため、台座を段状に構築することができる。これにより、展示した節句人形等の装飾品の美感を効果的に高めることができる。
【００１３】
前記節句人形は、雛人形及び五月人形の何れか一方を含み、前記節句飾りは飾り兜を含むこととしてもよい。
この場合、雛人形、五月人形、飾り兜を展示することができる。
【考案の効果】
【００１４】
本考案によれば、展示終了後の保管時にはコンパクトに収容可能で、且つ、節句人形や節句飾りを展示する際は下方に物品を収容可能な節句用飾り台を提供することができる。
【図面の簡単な説明】
【００１５】
【図１】本発明の第一実施形態に係る節句用飾り台を示す斜視図である。
【図２】図１のＡ−Ａ´断面図である。
【図３】節句用飾り台を反転させた状態を示す斜視図である。
【図４】台座用脚部を起立位置に配置した状態を示す斜視図である。
【図５】節句用飾り台の下に収納ケースを収容した状態を示す斜視図である。
【図６】節句用飾り台の下に収納ケースを収容して節句人形を展示した展示例の一つを示す斜視図である。
【図７】節句用飾り台を用いた節句人形の他の展示例を示す斜視図である。
【図８】本発明の第二実施形態に係る節句用飾り台を反転させた状態を示す斜視図である。
【図９】節句人形を展示できるように節句用飾り台及び補助用飾り台を配置した状態を示す斜視図である。
【図１０】節句人形を節句用飾り台及び補助用飾り台に展示した展示例の一つを示す斜視図である。
【考案を実施するための形態】
【００１６】
以下、添付図面に従って本考案の実施形態について説明する。ただし、この実施形態に記載されている構成部品の寸法、材質、形状、その相対的配置等は、特定的な記載がない限り本考案の範囲をこれに限定する趣旨ではなく、単なる説明例にすぎない。
【００１７】
図１は、本発明の第一実施形態に係る節句用飾り台を示す斜視図であり、図２は、図１のＡ−Ａ´断面図である。
図１及び図２に示すように、節句用飾り台１は、節句飾りが載置される板状の台座２と、当該台座２の外周縁部から下方へ向かって所定長さＬ１だけ延設されて台座２の外周を囲う枠部材３とを備えている。
【００１８】
節句用飾り台１は、台座２の下面と枠部材３で囲まれた下部空間４を有しており、下部空間４の下側は開口されて形成されている。
また、台座２の上部には、畳２ａが設けられている。
【００１９】
更に、節句用飾り台１は、一端側端部５ａが台座２の下面に回動可能に取り付けられ、台座２の下面に重ね合わせるように回動させて折り畳んだ場合に下部空間４内に収容可能な複数の台座用脚部５を備えている。
台座用脚部５の板厚は、下部空間４の高さＬ１よりも小さくなるように形成されている。当該台座用脚部５の板厚が下部空間４の高さＬ１よりも小さいため、折り畳んだ状態の台座用脚部５を下部空間４内に収容することができる。
【００２０】
図３は、節句用飾り台１を反転させた状態を示す斜視図であり、図４は、台座用脚部５を起立位置に配置した状態を示す斜視図である。
図３及び図４に示すように、各台座用脚部５の一端側端部５ａは、枠部材３の内周面に隣接する台座２の下面に蝶番６にて接続されている。また、他端側端部５ｂには、ローラキャッチ凹部７ｂが設けられている。台座用脚部５を折り畳むときに、台座用脚部５のローラキャッチ凹部７ｂを台座２の下面に取り付けられたローラキャッチ凸部７ａと係合することで、台座用脚部５を台座２に固定する。
【００２１】
各台座用脚部５の他端側端部５ｂには、手の指を挿通可能な切欠き部８が設けられている。台座用脚部５を折り畳んだ状態で切欠き部８に指を引っ掛けて台座用脚部５を持ち上げることで、台座用脚部５を開くことができる。
【００２２】
また、各台座用脚部５は、その一端から他端までの長さＬ２が枠部材３の所定長さＬ１よりも大きく形成されている。
各台座用脚部５を台座２の下面に対して下方（図３及び図４では上方）へ回動させて各台座用脚部５を起立位置とした場合に、台座２と各台座用脚部５との間に下部空間４を含む隙間空間９が形成される。
【００２３】
図５は、節句用飾り台１の下に収納ケースを収容した状態を示す斜視図である。
図５に示すように、各台座用脚部５を起立位置とした場合に、各台座用脚部５は、その一端から他端までの長さＬ２が枠部材３の所定長さＬ１よりも大きく形成されているため、台座２及び枠部材３を床等から離れた高さ位置に配置することができる。これにより、台座２と各台座用脚部５との間に形成された隙間空間９内に収納ケース１０を収容可能である。
展示用に節句人形や節句飾りが取り出されている収納ケース１０を節句用飾り台１の下に収容することができるため、節句人形や節句飾りを展示している際に、空の収納ケース１０を保管する保管スペースを確保する必要が無くなる。
なお、本実施形態では、隙間空間９内に収納ケース１０を収容する場合について説明したが、これに限定されるものではなく、例えば、節句人形を保護する保護シートや保護材等を収容してもよい。
【００２４】
図６は、節句用飾り台１の下に収納ケース１０を収容して節句人形を展示した展示例の一つを示す斜視図である。
図６に示すように、節句用飾り台１は、展示時に台座用脚部５を起立位置に配置することにより、床よりも一段高い展示用台座として機能する。これにより、台座２上に展示した節句人形の美感を効果的に高められるようになっている。
【００２５】
また、台座２の上面及び隙間空間９の側方には、赤色の毛氈からなるシート部材１１が配置される。これにより、隙間空間９内に収容された収納ケース１０を視認できないようにすることができる。
また、台座２の上面には、節句人形を構成する２体の人形１２ａ、１２ｂが展示され、その背面側に背景用の屏風１３が立設される。
また、人形１２ａ、１２ｂの側方側にはそれぞれ節句人形を構成する油灯１４ａ、１４ｂが展示される。
さらに、人形１２ａ、１２ｂの前方側には、節句人形を構成する三宝１５、菱餅１６ａ、１６ｂ、橘１７、桜１８が展示される。
なお、以下の説明では、油灯１４ａ、１４ｂ、三宝１５、菱餅１６ａ、１６ｂ、橘１７、桜１８は、必要に応じてまとめて適宜「付属品」と称することとする。
【００２６】
図７は、節句用飾り台１を用いた節句人形の他の展示例を示す斜視図である。
図７に示すように、台座用脚部５を折り畳んだ状態で人形１２ａ、１２ｂ及び付属品を展示してもよい。
このように本実施形態に係る節句用飾り台１は、台座用脚部５を折り畳んだり、起立させたりすることによって展示高さを変更することができる。そのため、長年に亘って使用される人形１２ａ、１２ｂ及び付属品であっても、長期間に亘って飽きがなく、良好な美感を維持することができる。
【００２７】
上述した構成からなる節句用飾り台１は、下部空間４内に収容可能な台座用脚部５を備えているため、節句人形や節句飾りを展示しないときに、コンパクトに保管することができる。
また、節句人形や節句飾りを展示する際は、台座用脚部５を起立位置に配置することで、台座２を高い位置に設けることができる。これにより、節句人形や節句飾りを高い位置で飾ることができるため、節句人形や節句飾りをより身近に感じることができる。
【００２８】
そして、台座用脚部５を起立位置に配置することで、台座２と台座用脚部５との間に隙間空間９が形成されるため、この隙間空間９内に節句人形や節句飾りを保護する保護材等の物品を収容することができる。
特に、隙間空間９の高さを節句人形及び節句用飾りを収納する収納ケース１０の高さよりも大きくすることで、展示用に節句人形や節句飾りが取り出された収納ケース１０を隙間空間９内に収容することができる。従来、節句人形や節句飾り用の収納ケース１０は節句人形及び節句飾りを展示している間は、別の場所に保管する必要があったため、余分な保管用スペースが必要だった。しかし、本態様によれば、収納ケース１０を隙間空間９内に配置することにより、保管用スペースの確保が不要となる。
【００２９】
また、台座用脚部５の一端部５ａは、枠部材３の内周面に隣接する台座２の下面に接続されるため、台座２の下方に広い隙間空間９を確保することができる。
そして、台座用脚部５を起立位置に配置した場合に、台座用脚部５が枠部材３の内周面に隣接する位置、即ち台座２の外周縁部近傍で台座２を支持することとなるため、台座２を安定させることができる。
【００３０】
次に、本発明の第二実施形態について説明する。以下の説明において、上述した第一実施形態に対応する部分には同一の符号を付して説明を省略し、主に相違点について説明する。
【００３１】
図８は、本発明の第二実施形態に係る節句用飾り台を反転させた状態を示す斜視図である。
図８に示すように、節句用飾り台２１は、台座２と、枠部材３と、台座用脚部５と、複数の補助用飾り台２２、３２とを備えている。
【００３２】
補助用飾り台２２は、台座２の外枠寸法よりも小さくて下部空間４内に収容可能な板状の座板２３と、一端側端部２４ａが座板２３の下面に回動可能に取り付けられた座板用脚部２４とを備えている。また、補助用飾り台３２は、補助用飾り台２２と同様に、台座２の外枠寸法よりも小さくて下部空間４内に収容可能な板状の座板３３と、一端側端部３４ａが座板３３の下面に回動可能に取り付けられた座板用脚部３４とを備えている。
【００３３】
図９は、節句人形や節句飾りを展示できるように節句用飾り台２１及び補助用飾り台２２、３２を配置した状態を示す斜視図である。
図９に示すように、補助用飾り台２２、３２の各座板用脚部２４、３４の一端から他端までの長さＬ３、Ｌ４は共に、枠部材３の所定長さＬ１よりも大きく、且つ台座用脚部５の長さＬ２よりも小さい。
また、座板用脚部２４の長さＬ３は、座板用脚部３４の長さＬ４よりも小さく形成されている。
【００３４】
各補助用飾り台２２、３２は、各座板用脚部２４、３４を回動させてそれぞれ座板２３、３３の下面に重なり合うように折り畳むことができる。
また、各座板用脚部２４、３４の板厚は、それぞれ下部空間４の高さＬ１から台座用脚部５の板厚を減算した値よりも小さくなるように形成されている。各座板用脚部２４、３４の板厚が、下部空間４の高さＬ１から台座用脚部５の板厚を減算した値よりも小さいため、折り畳んだ状態の両補助用飾り台２２、３２を、図８に示すように、互いに隣接させた状態で下部空間４内に収容可能である。
【００３５】
図１０は、節句人形を節句用飾り台２１及び補助用飾り台２２、３２に展示した展示例の一つを示す斜視図である。
図１０に示すように、節句用飾り台２１及び補助用飾り台２２、３２には、人形１２ａ、１２ｂ及び付属品が展示される。特に、節句用飾り台２１は補助用飾り台２２、３２に比べて高さが大きくなるように形成されているため、節句用飾り台２１の前方に補助用飾り台２２、３２を並べて配置することによって、段状の台座を構築することができる。
【００３６】
節句用飾り台２１の台座２上及び補助用飾り台２２、３２の座板２３、３３上には、シート部材１１が配置される。
節句用飾り台２１の台座２上には、２体の人形１２ａ、１２ｂ、屏風１３、油灯１４ａ、１４ｂ、菱餅１６ａ、１６ｂ及び高杯３５が展示される。
また、中段の補助用飾り台３２には、三人官女３６ａ、３６ｂ、３６ｃが展示される。
そして、下段の補助用飾り台２２には、御所車３７、橘１７、桜１８が展示される。
【００３７】
このように本実施形態に係る節句用飾り台２１は、補助用飾り台２２、３２を備えているため、段差の異なるレイアウトを実現することができる。
【００３８】
上述した構成からなる節句用飾り台２１は、補助用飾り台２２、３２を節句用飾り台２１の下部空間４内に収納することができる。これにより、節句人形や節句飾りを展示しないときに、補助用飾り台２２、３２及び節句用飾り台２１をコンパクトに保管することができる。
【００３９】
また、補助用飾り台２２、３２を備えているため、節句用飾り台２１の前方に補助用飾り台２２、３２を配置して、当該補助用飾り台２２、３２上にも節句人形や節句用飾りを展示することができる。即ち、節句人形や節句用飾りを展示するスペースが広くなる。これにより、多くの節句人形及び節句用飾りを展示することができるため、豪華な雰囲気を演出することができる。
【００４０】
また、座板用脚部２４、３４の長さＬ３、Ｌ４がそれぞれ、台座用脚部５の長さＬ２と異なるため、台座を段状に構築することができる。これにより、展示した節句人形や節句飾りの美感を効果的に高めることができる。
【００４１】
なお、本実施形態においても、第一実施形態で説明した効果を得ることができる。
【００４２】
また、本実施形態では、雛人形と付属品とからなる雛人形セットを展示した場合について説明したが、これに限定されるものではなく、例えば五月人形セットや飾り兜等にも同様に適用可能であることは言うまでも無い。
【産業上の利用可能性】
【００４３】
本考案は、節句人形やその付属品を展示可能な節句用飾り台に利用可能である。
【符号の説明】
【００４４】
１  節句用飾り台
２  台座
２ａ  畳
３  枠部材
４  下部空間
５  台座用脚部
５ａ  一端側端部
５ｂ  他端側端部
６  蝶番
７ａ  ローラキャッチ凸部
７ｂ  ローラキャッチ凹部
８  切欠き部
９  隙間空間
１０  収納ケース
１１  シート部材
１２ａ、１２ｂ  人形
１３  屏風
１４ａ、１４ｂ  油灯
１５  三宝
１６ａ、１６ｂ  菱餅
１７  橘
１８  桜
２１  節句用飾り台
２２  補助用飾り台
２３  座板
２４  座板用脚部
２４ａ  一端側端部
３２  補助用飾り台
３３  座板
３４  座板用脚部
３４ａ  一端側端部
３５  高杯
３６ａ、３６ｂ、３６ｃ  三人官女
３７  御所車
【図１】
0003180466.tif 000003
【図２】
0003180466.tif 000004
【図３】
0003180466.tif 000005
【図４】
0003180466.tif 000006
【図５】
0003180466.tif 000007
【図６】
0003180466.tif 000008
【図７】
0003180466.tif 000009
【図８】
0003180466.tif 000010
【図９】
0003180466.tif 000011
【図１０】
0003180466.tif 000012